(57)【特許請求の範囲】
【請求項１】
ポータブル電子デバイスの制御方法であって、
トリガーイベントを受信する工程と、
加速度センサによって前記ポータブル電子デバイスの第一動作を検知し、第一信号を生成する工程と、
前記第一信号が第一既定条件に符合する場合、前記加速度センサによって前記ポータブル電子デバイスの第二動作を検知し、第二信号を生成する工程と、
前記第二信号が第二既定条件に符合する場合、前記ポータブル電子デバイスは動作を実行する工程と、
を含み、
前記第一信号及び前記第二信号は、前記加速度センサがその三次元座標における加速度成分の変化または加速度成分の合計の変化を検知したものに基づき、変換して得られるパルス波信号をそれぞれ含み、
前記第一既定条件は、第一閾値、前記第一閾値より大きい第二閾値及び時間周期を含み、前記第一信号のパルス波信号が水平を基準にして上昇して前記第一閾値及び前記第二閾値を超え、前記第一閾値に下降する間の時間が前記時間周期に符合する時、前記第一信号は前記第一既定条件に符合することを特徴とするポータブル電子デバイスの制御方法。
【請求項２】
前記トリガーイベントは、前記ポータブル電子デバイスの変位があり、且つ、前記加速度センサがその三次元座標における加速度成分の変化量または加速度成分の合計の変化量が既定閾値より大きいことを検知したことを含む請求項１に記載のポータブル電子デバイスの制御方法。
【請求項３】
前記ポータブル電子デバイスは演算制御装置に電気的に接続されるトリガー部品をさらに備え、
前記トリガーイベントは前記トリガー部品をタッチすることを含む請求項１または２に記載のポータブル電子デバイスの制御方法。
【請求項４】
前記第二信号が前記第二既定条件に符合すると判断した後、
前記加速度センサによって前記ポータブル電子デバイスと三次元空間のＺ軸との間の角度を検知して、第三信号を生成する工程と、
前記第三信号が既定角度区間内にある場合、前記ポータブル電子デバイスは前記動作を実行する工程と、をさらに含む請求項１ないし３いずれか１つに記載のポータブル電子デバイスの制御方法。
【請求項５】
前記第一動作は、前記ポータブル電子デバイスが接触を受けたことを表し、前記第二動作は、前記ポータブル電子デバイスが静止状態であることを表す請求項１ないし４いずれか１つに記載のポータブル電子デバイスの制御方法。
【請求項６】
前記第二既定条件は、下限値及び上限値を含み、前記第二信号のパルス波信号が前記下限値と前記上限値との間で上下に振動しているまたは前記下限値及び前記上限値を超える回数が既定回数以内である時、前記第二信号が前記第二既定条件に符合する請求項１に記載のポータブル電子デバイスの制御方法。
【請求項７】
前記動作は機構のスイッチを含む請求項１ないし６いずれか１つに記載のポータブル電子デバイスの制御方法。
【請求項８】
前記動作は、電源、ソフトウェアプログラム、音量または画面のスイッチまたは切換を含む請求項１ないし７いずれか１つに記載のポータブル電子デバイスの制御方法。
【請求項９】
本体と、
前記本体に設置され、前記本体の第一動作と第二動作を検知するのに用いられ、第一信号及び第二信号をそれぞれ生成する加速度センサと、
前記本体に設置され、且つ、前記加速度センサに電気的に接続され、トリガーイベントにウェイクアップされて、前記第一信号及び前記第二信号を受信する演算制御装置と、を
備え、
前記演算制御装置が前記第一信号が第一既定条件に符合し、且つ、前記第二信号が第二既定条件に符合すると判断する場合、動作を実行させ、
前記第一信号及び前記第二信号は、前記加速度センサがその三次元座標における加速度成分の変化または加速度成分の合計の変化を検知したものに基づき、変換して得られるパルス波信号をそれぞれ含み、
前記第一既定条件は、第一閾値、前記第一閾値より大きい第二閾値及び時間周期を含み、前記第一信号のパルス波信号が水平を基準にして上昇して前記第一閾値及び前記第二閾値を超え、前記第一閾値に下降する間の時間が前記時間周期に符合する時、前記第一信号は前記第一既定条件に符合するポータブル電子デバイス。
【請求項１０】
前記トリガーイベントは、前記ポータブル電子デバイスの変位があり、且つ、前記加速度センサがその三次元座標における加速度成分の変化量または加速度成分の合計の変化量が既定閾値より大きいことを検知したことを含む請求項９に記載のポータブル電子デバイス。
【請求項１１】
前記本体の側面に設置され、前記演算制御装置に電気的に接続されるトリガー部品をさらに備え、
前記トリガーイベントは前記トリガー部品をタッチすることを含む請求項９または１０に記載のポータブル電子デバイス。
【請求項１２】
前記加速度センサがさらに前記ポータブル電子デバイスと三次元空間のＺ軸との間の角度を検知し、検知して得られた第三信号が前記演算制御装置に送信し、前記演算制御装置は、前記第三信号が既定角度区間にあると判断する場合、前記ポータブル電子デバイスにスイッチ機能または切換機能を実行させる請求項９ないし１１いずれか１つに記載のポータブル電子デバイス。
【請求項１３】
前記本体に可動に接続される支持フレームと、
前記支持フレームに対応して前記本体に設置され、前記支持フレームと係合し、前記支持フレームを前記本体に収めるリミッターと、をさらに備え、
前記スイッチ機能は前記リミッターと前記支持フレームとを分離させ、前記支持フレームを前記本体に対して展開させる請求項１２に記載のポータブル電子デバイス。
【請求項１４】
前記リミッターの材質は記憶合金であり、且つ、前記リミッターが前記演算制御装置に電気的に接続され、前記ポータブル電子デバイスはスイッチ機能を実行する時、前記演算制御装置は前記リミッターに通電し、前記リミッターを変形させて、前記支持フレームと分離させる請求項１３に記載のポータブル電子デバイス。
【請求項１５】
前記第一動作は、前記本体が接触を受けたことを表し、前記第二動作は、前記本体が静止状態であることを表す請求項９ないし１４いずれか１つに記載のポータブル電子デバイス。
【請求項１６】
前記第二既定条件は、下限値及び上限値を含み、前記第二信号のパルス波信号が前記下限値と前記上限値との間で上下に振動している時、または、前記下限値及び前記上限値を超える回数が既定回数以内である時、前記第二信号が前記第二既定条件に符合する請求項９に記載のポータブル電子デバイス。
【請求項１７】
前記動作は機構のスイッチを含む請求項９ないし１６いずれか１つに記載のポータブル電子デバイス。
【請求項１８】
前記動作は、電源、ソフトウェアプログラム、音量または画面のスイッチまたは切換を含む請求項９ないし１７いずれか１つに記載のポータブル電子デバイス。
【発明の詳細な説明】
【技術分野】
【０００１】
本発明はポータブル電子デバイスに関するものであり、特にポータブル電子デバイス及びその制御方法に関するものである。
【背景技術】
【０００２】
生活のペースが速く、忙しい現代人にとって、スマートフォン、タブレットＰＣ、電子書籍またはその他の類似するポータブル電子デバイスはすでに不可欠な装備となっている。一般的に、ポータブル電子デバイスの電源スイッチ、ソフトウェアプログラムスイッチ、機構スイッチまたはその他のスイッチ機能、及び音量切換、画面切換、ソフトウェアプログラム切換またはその他の切換機能は、ユーザーの多くが実体キーまたは仮想キーを操作して前記スイッチ機能または切換機能を実現しており、その操作は比較的複雑である。
【発明の概要】
【発明が解決しようとする課題】
【０００３】
これに鑑みて、如何にしてポータブル電子デバイスに設置されたセンサによって相応する判断メカニズムを補助し、前記スイッチ機能または切換機能を速やかに実行して、ユーザーの操作上の利便性を向上させるかが、各社が解決しようとする課題になっている。
【０００４】
本発明はポータブル電子デバイス及びその制御方法を提供し、ユーザーの操作上の利便性の向上に寄与する。
【課題を解決するための手段】
【０００５】
本発明は、トリガーイベントを受信する工程と、加速度センサによってポータブル電子デバイスの第一動作を検知し、第一信号を生成する工程と、第一信号が第一既定条件に符合する場合、加速度センサによってポータブル電子デバイスの第二動作を検知し、第二信号を生成する工程と、第二信号が第二既定条件に符合する場合、ポータブル電子デバイスは動作を実行する工程と、を含み、前記第一信号及び前記第二信号は、前記加速度センサがその三次元座標における加速度成分の変化または加速度成分の合計の変化を検知したものに基づき、変換して得られるパルス波信号をそれぞれ含み、前記第一既定条件は、第一閾値、前記第一閾値より大きい第二閾値及び時間周期を含み、前記第一信号のパルス波信号が水平を基準にして上昇して前記第一閾値及び前記第二閾値を超え、前記第一閾値に下降する間の時間が前記時間周期に符合する時、前記第一信号は前記第一既定条件に符合するポータブル電子デバイスの制御方法を提供する。
【０００６】
本発明の実施形態において、前記トリガーイベントは、ポータブル電子デバイスの変位があり、且つ、加速度センサがその三次元座標における加速度成分の変化量または加速度成分の合計の変化量が既定閾値より大きいことを検知したことを含む。
【０００７】
本発明の実施形態において、前記ポータブル電子デバイスは、演算制御装置に電気的に接続されるトリガー部品をさらに備える。トリガーイベントはトリガー部品をタッチすることを含む。
【０００８】
本発明の実施形態において、前記ポータブル電子デバイスの制御方法は、第二信号が第二既定条件に符合すると判断した後、加速度センサによってポータブル電子デバイスと三次元空間のＺ軸との間の角度を検知して、第三信号を生成し、第三信号が既定角度区間内にある場合、ポータブル電子デバイスは動作を実行することを含む。
【０００９】
本発明の実施形態において、前記第一動作は、ポータブル電子デバイスが接触を受けたことを表し、第二動作は、ポータブル電子デバイスが静止状態であることを表す。
【００１２】
本発明の実施形態において、前記第二既定条件は、下限値及び上限値を含み、第二信号のパルス信号が下限値と上限値との間で上下に振動している時、または、下限値及び上限値を超える回数が既定回数以内である時、第二信号が第二既定条件に符合する。
【００１３】
本発明の実施形態において、前記動作は機構のスイッチを含む。
【００１４】
本発明の他の実施形態において、前記動作は、電源、ソフトウェアプログラム、音量または画面のスイッチまたは切換を含む。
【００１５】
本発明は、ポータブル電子デバイスを提供する。ポータブル電子デバイスは、本体と、加速度センサと、演算制御装置とを備える。加速度センサは本体に設置されて、本体の第一動作と第二動作を検知するのに用いられ、第一信号及び第二信号をそれぞれ生成する。演算制御装置は、本体に設置され、加速度センサに電気的に接続される。演算制御装置は、トリガーイベントにウェイクアップされて、第一信号及び第二信号を受信し、演算制御装置は、第一信号が第一既定条件に符合し、且つ、第二信号が第二既定条件に符合すると判断する場合、ポータブル電子デバイスに動作を実行させる。
【００１６】
本発明の実施形態において、前記ポータブル電子デバイスは、本体の側面に設置されたトリガー部品をさらに備える。トリガー部品は演算制御装置に電気的に接続され、且つ、トリガーイベントはトリガー部品をタッチすることを含む。
【００１７】
本発明の実施形態において、前記ポータブル電子デバイスは、支持フレームとリミッターをさらに備える。支持フレームは本体に可動に接続される。リミッターは支持フレームに対応して本体に設置され、支持フレームと係合し、支持フレームを本体に収める。スイッチ機能はリミッターと支持フレームとを分離させ、支持フレームを本体に対して展開させる。
【００１８】
本発明の実施形態において、前記リミッターの材質は記憶合金であり、且つ、リミッターが演算制御装置に電気的に接続される。ポータブル電子デバイスはスイッチ機能を実行する時、演算制御装置はリミッターに通電し、リミッターを変形させて、支持フレームと分離させる。
【発明の効果】
【００１９】
上述に基づき、本発明のポータブル電子デバイスは、演算制御装置と加速度センサが設置され、加速度センサによってポータブル電子デバイスの動作または状態を検知し、演算制御装置は判断メカニズムまたはモードをセットして、加速度センサが検知して得られた信号が既定条件に符合するか判断した後、電源スイッチ、ソフトウェアプログラムスイッチ、機構スイッチまたはその他のスイッチ機能または音量切換、画面切換、ソフトウェアプログラム切換またはその他の切換機能をポータブル電子デバイスにすぐに実行させる。即ち、本発明のポータブル電子デバイス及びその制御方法はユーザーに前述のスイッチ機能または切換機能を速やかに実行させ、且つ、実体キーまたは仮想キーを操作する必要が無く、操作上の利便性の向上に寄与する。
【００２０】
本発明の上述した特徴と利点を更に明確化するために、以下、幾つかの実施例を挙げて図面と共に詳細な内容を説明する。
【図面の簡単な説明】
【００２１】
【図１Ａ】本発明の実施形態に係るポータブル電子デバイスの使用状況の模式図である。
【図１Ｂ】本発明の実施形態に係るポータブル電子デバイスの使用状況の模式図である。
【図２】本発明の実施形態に係るポータブル電子デバイスの制御方法のフローチャートである。
【図３】本発明の実施形態に係る第一信号のパルス波の図である。
【図４】本発明の実施形態に係る第二信号のパルス波の図である。
【図５Ａ】本発明の別の実施形態に係るポータブル電子デバイスの使用状況の模式図である。
【図５Ｂ】本発明の別の実施形態に係るポータブル電子デバイスの使用状況の模式図である。
【図６】本発明の別の実施形態に係るポータブル電子デバイスの制御方法のフローチャートである。
【発明を実施するための形態】
【００２２】
図１Ａ及び図１Ｂは、それぞれ本発明の実施形態に係るポータブル電子デバイスの使用状況の模式図である。図１Ａ及び図１Ｂを参照すると、この実施形態において、ポータブル電子デバイス１００はタブレットＰＣとして説明されているが、本発明はこれに限定されず、ポータブル電子デバイス１００はスマートフォン、電子書籍、ナビゲーションデバイスまたは電子ディスプレイ等であってもよい。ポータブル電子デバイス１００はディスプレイ１１０、本体１２０、加速度センサ１３０、演算制御装置１４０を備え、そのうちディスプレイ１１０は本体１２０に組み立てられ、且つ、加速度センサ１３０と演算制御装置１４０はいずれも本体１２０に設置されている。
【００２３】
さらに正確には、加速度センサ１３０と演算制御装置１４０は、例えばディスプレイ１１０と本体１２０の間に設置される。加速度センサ１３０は本体１２０の第一動作と第二動作を検知するのに用いられ、第一信号及び第二信号をそれぞれ生成する。演算制御装置１４０は、加速度センサ１３０に電気的に接続され、トリガーイベントにウェイクアップされて、第一信号及び第二信号を受信するのに適している。演算制御装置１４０が、第一信号が第一既定条件に符合し、且つ、第二信号が第二既定条件に符合すると判断する場合、ポータブル電子デバイス１００は動作（例えば、スイッチ機能または切換機能）を実行する。ポータブル電子デバイス１００の動作または状態を判断して、スイッチ機能または切換機能を実行するフローに関しては、以下に詳細に説明する。
【００２４】
加速度センサ１３０は重力センサー（Ｇ  ｓｅｎｓｏｒ）であって、変位、速度、加速度、傾斜角等の数値を含むポータブル電子デバイス１００の移動物理量の検知に用いられてもよい。演算制御装置１４０は、中央処理装置（ＣＰＵ）であって、その内部に制御ユニット、算術及び論理ユニット、レジスタまたはメモリユニットを備え、信号の送受信、信号に対する演算、比較または判断またはデータの一時記憶のために配置されてもよい。図１Ａが示すポータブル電子デバイス１００はワークプレーン１０に平らに置かれ、その本体１２０の底部はワークプレーン１０に平らに貼り付けられ、且つ、ディスプレイ１１０は上を向く。一方、加速度センサ１３０のＺ１軸はワークプレーン１０に垂直であり、加速度センサ１３０のＸ１軸は本体１２０の長辺側１２１に平行であり、且つ、加速度センサ１３０のＹ１軸は本体１２０の短辺側１２２に平行である。この時、重力の影響を受けたＺ１軸上の加速度成分（以下Ｚｇと称する）は１ｇに等しく、Ｘ１軸上の加速度成分（以下Ｘｇと称する）及びＹ１軸上の加速度成分（以下Ｙｇと称する）はそれぞれ０に等しい。続いて、図１Ｂに示すように、ポータブル電子デバイス１００を移動して、本体１２０をワークプレーン１０に平らに置かず、本体１２０の長辺側１２１をワークプレーン１０に平行に、または平らに貼り付ける。この時、Ｙ１軸及びＺ１軸はそれぞれワークプレーン１０と傾きの角度を有することから、ポータブル電子デバイス１００が移動する瞬間に、ＹｇまたはＺｇは１ｇより大きく、Ｘｇはほぼ０に等しいままである。
【００２５】
図２は、本発明の実施形態に係るポータブル電子デバイスの制御方法のフローチャートである。図１Ａ、図１Ｂ及び図２を参照すると、ポータブル電子デバイス１００がトリガーイベントを受信する（ステップＳ２１０）時、演算制御装置１４０をウェイクアップする。ステップＳ２１０において、トリガーイベントの一つは、ポータブル電子デバイス１００の三次元空間（三次元座標）における瞬間変位の変化量が既定閾値よりも大きいことを要するとしてもよい。具体的には、変位の変化量は、瞬間変位の加速度成分または各加速度成分の合計から静止状態時の加速度成分（例えば、Ｘｇ、ＹｇまたはＺｇ）または各加速度成分の合計（Ｔｇ）を引いて、絶対値を取るものとして定義されてもよい。加速度成分の変化量が０．１ｇより大きい場合、または、各加速度成分の合計の変化量が０．３ｇより大きい場合、いずれも演算制御装置１４０をウェイクアップすることができる。注意する必要があることとして、以上で述べた加速度成分の変化量または各加速度成分の合計の変化量は実際の応用に応じて調整できるものであり、本発明はこれに限定しない。
【００２６】
ポータブル電子デバイスはトリガー部品１５０をさらに備え、トリガー部品１５０は本体１２０の長辺側１２１の側面に設置されるスイッチキーまたは距離センサであってもよく、且つ、演算制御装置１４０に電気的に接続される。トリガー部品１５０は本体１２０の長辺側１２１がワークプレーン１０に接触したか否かを検知するために配置される。ステップＳ２１０において、トリガーイベントの別の方式についてはトリガー部品１５０をタッチしてもよい。したがって、本体１２０の長辺側１２１がワークプレーン１０に接触して、トリガー部品１５０がタッチされる時、トリガー部品１５０はトリガー信号を演算制御装置１４０に送信し、演算制御装置１４０をウェイクアップする。
【００２７】
演算制御装置１４０をウェイクアップした後、加速度センサ１３０によってポータブル電子デバイス１００の第一動作を検知し、第一信号（例えばＴｇである）を生成する（ステップＳ２２０）。そして、第一信号は演算制御装置１４０に送信される。詳細には、第一動作はポータブル電子デバイス１００の振動であるまたは本体１２０の長辺側１２１が接触（または軽打）を受けてもよい。第一信号が演算制御装置１４０に送信された後、演算制御装置１４０は、第一信号を比較または判断し、第一信号が第一既定条件に符合するか否か確認する。ポータブル電子デバイス１００が静止するまでに、各加速度成分または加速度成分の合計の数値は変化し続けることから、各加速度成分の変化または加速度成分の合計の変化に基づき、相応するパルス波信号を変換して得てもよい。
【００２８】
図３は、本発明の実施形態に係る第一信号のパルス波の図である。図３の横軸は時間（単位は秒である）であり、縦軸は加速度（単位はｇである）であり、パルス波の水平部分は１ｇに対応する。図３を参照すると、ポータブル電子デバイス１００が空中で降下する時、パルス波はまず水平部分から下降して第三閾値Ｇ３に近づくが、第三閾値Ｇ３を越えず、第三閾値Ｇ３は約０．５ｇである。続いて、本体１２０の長辺側１２１がワークプレーン１０上に接触する時、パルス波は低い点から上に向かい水平部分を通過する。パルス波が前述の波形に一旦符合すると、本体１２０の長辺側１２１が軟らかい物に接触していることを表している。反対に、パルス波が下降して第三閾値Ｇ３を超える場合、フェール（ｆａｉｌ）イベントと定義され、後続の検知または判断ステップを停止して、ポータブル電子デバイス１００の強打または誤接触時にスイッチ機能または切換機能が実行されないようにする。
【００２９】
続いて、パルス波が水平部分から上昇し続けて第一閾値Ｇ１を通過し、上昇し続けて第二閾値Ｇ２を超え、第一閾値Ｇ１は約１．１ｇから１．２ｇの間にあり、第二閾値Ｇ２は約１．６ｇから１．７ｇの間にあり、パルス波のピーク値（即ち、最高点）は１．６ｇから３ｇの間にある。パルス波のピーク値が３ｇを超える場合、フェールイベントと定義されてもよい。それから、パルス波が高い点から下降して第二閾値Ｇ２及び第一閾値Ｇ１を通過して水平部分に戻る。図３の局部拡大箇所が示すように、パルス波は実際には振動が徐々に収まる波形で水平部分に戻る。パルス波が第一閾値Ｇ１を通過して、高い点まで上昇してから高い点から第一閾値Ｇ１まで下降する時間周期Ｔiは、約１０ミリ秒から８０ミリ秒の間にある。簡単に、時間周期Ｔiはパルス波の上昇及び下降で通過する二つの第一閾値Ｇ１の間の時間であると定義される。第一信号のパルス波信号が水平を基準にして上昇して第一閾値Ｇ１及び第二閾値Ｇ２を超え、第一閾値Ｇ１に下降する間の時間が時間周期Ｔiに符合する時、第一信号は第一既定条件に符合する。即ち、以上で述べた第一閾値Ｇ１、第二閾値Ｇ２、第三閾値Ｇ３、時間周期Ｔi及びパルス波の変化は本実施形態の第一既定条件である。
【００３０】
説明が必要なこととして、時間周期Ｔiの長さは、接触または振動の動作を識別するのに寄与する。第一閾値Ｇ１は時間周期Ｔiを定義するために設定され、一方、加速度センサ１３０は、加速度が第一閾値Ｇ１を超えていると検知する時、加速度センサがいずれも検知した加速度値は記録され、これらの加速度値をパルス波図に変換する。第二閾値Ｇ２は接触の強度（またはパワー）を識別することができ、第一閾値Ｇ１と時間周期Ｔiを共に用いて接触または振動の間の差異を判定する。以上で述べた第一閾値Ｇ１、第二閾値Ｇ２、第三閾値Ｇ３及び時間周期Ｔi等の数値範囲は、いずれも実際の応用に応じて調整できるものであり、本発明はこれに限定しない。また、ポータブル電子デバイス１００は接触するワークプレーン１０が硬いほど、時間周期Ｔiは短くなり、時間周期Ｔiが加速度センサの最小サンプリング周期に一旦近づくと、得られたパルス波は歪むが、この歪みの事情は以上で述べたパルス波の比較または判断方式によって除去してもよい。
【００３１】
その他の実施形態において、ポータブル電子デバイス１００の初期状態がワークプレーン１０上に置かれる場合、ポータブル電子デバイス１００がワークプレーン１０から一旦移動すると、パルス波は水平部分から幾分上昇し、波形は例えば緩やかな弧である。続いて、ポータブル電子デバイス１００が降下して、且つ、本体１２０の長辺側１２１がワークプレーン１０上に接触した後、パルス波の波形はほぼ図３と一致する。
【００３２】
図２を引き続き参照すると、ステップＳ２３０において、演算制御装置１４０は、第一信号が以上で述べた第一既定条件に符合すると判断する場合、第一動作は、本体１２０が接触を受けており、且つ、例えば本体１２０が軟らかい物に接触していることを表している。その他の実施形態において、本体１２０の周縁は緩衝部材（例えばゴムである）を配置してもよく、演算制御装置１４０は、第一信号が以上で述べた第一既定条件に符合すると判断する場合、第一動作は、本体１２０が接触を受けており、且つ、例えば本体１２０が緩衝部材によって硬い物または軟らかい物に接触していることを表している。続いて、加速度センサ１３０は、ポータブル電子デバイス１００の第二動作を検知することで、第二信号（例えばＴｇである）を生成する。さらに、第二信号は演算制御装置１４０に送信される。反対に、演算制御装置１４０は、第一信号が以上で述べた第一既定条件に符合しないと判断する場合、第一動作は本体１２０が振動を受けていると判断し、後続の検知または判断等のステップを停止する。
【００３３】
図４は、本発明の実施形態に係る第二信号のパルス波の図である。図４の横軸は時間（単位は秒である）であり、縦軸は加速度（単位はｇである）である。図４を参照すると、パルス波は下限値ＧＬと上限値ＧＵとの間で上下に振動しているまたはパルス波が下限値ＧＬ及び上限値ＧＵを超える回数が既定回数以内であると、いずれもポータブル電子デバイス１００が静止状態に近づいている（即ち、第二信号が第二既定条件に符合する）ことを表してもよい。既定回数は約３０回でもよく、下限値ＧＬ及び上限値ＧＵはそれぞれ０．８ｇ及び１．２ｇでもよく、且つ、時間周期Ｔiiは、例えば０．２秒を超えない。以上で述べた既定回数、下限値ＧＬ、上限値ＧＵ、時間周期Ｔii及びパルス波が下限値ＧＬ及び上限値ＧＵを超える回数は、本実施形態の第二既定条件に制限される。説明が必要なこととして、以上で述べた下限値ＧＬ、上限値ＧＵ、時間周期Ｔii及びパルス波が下限値ＧＬ及び上限値ＧＵを超える回数の制限等の数値範囲は、いずれも実際の応用に応じて調整できるものであり、本発明はこれに限定しない。
【００３４】
図２を引き続き参照すると、ステップＳ２４０において、演算制御装置１４０は、第二信号が以上で述べた第二既定条件に符合すると判断する場合、第二動作は、本体１２０が静止状態であることを表している。この時、ポータブル電子デバイス１００は動作を実行する。前記動作は、電源スイッチ、ソフトウェアプログラムスイッチ、機構スイッチまたはその他の部分のスイッチ機能または音量切換、画面切換、ソフトウェアプログラム切換またはその他の切換機能を含む。電源スイッチまたはその他の部分のスイッチ機能、または音量切換、画面切換またはその他の切換機能を実行する時、ポータブル電子デバイス１００は、演算制御装置１４０によってスイッチ信号または切換信号を相応するファームウェアユニットに送信する。反対に、演算制御装置１４０は、第二信号が以上で述べた第二既定条件に符合しないと判断する場合、本体１２０は静止状態ではなく、後続のスイッチ機能または切換機能等のステップの実行を停止する。
【００３５】
また、演算制御装置１４０が学習モードによってユーザーの異なる操作動作及びステップ、及び各種の操作動作及びステップが対応して実行されたスイッチ機能または切換機能を記録する。したがって、特定の操作動作及びステップがポータブル電子デバイス１００に発生する時、演算制御装置１４０は実行する必要があるスイッチ機能または切換機能を自動判断し、複雑な判断メカニズム及びフローを免除できるだけではなく、ユーザーの操作上の利便性を向上させることもできる。
【００３６】
図５Ａ及び図５Ｂは、それぞれ本発明の別の実施形態に係るポータブル電子デバイスの使用状況の模式図である。図６は、本発明の別の実施形態に係るポータブル電子デバイスの制御方法のフローチャートである。以下に、支持フレーム１６０を本体１２０に対して展開させるスイッチ機能について説明する。図６が示す判断フローと図２が示す判断フローはほぼ同じであり、差異部分のみ説明する。図５Ａ、図５Ｂ及び図６を参照すると、この実施形態において、ポータブル電子デバイス１００Ａは、支持フレーム１６０とリミッター１７０をさらに備える。本体１２０は支持フレーム１６０を収容する収容溝１２３を有してもよい。支持フレーム１６０は相対するピボット端１６１と可動端１６２を有し、支持フレーム１６０はピボット端１６１によって本体１２０に枢支されており、本体１２０に対して回転可能である。リミッター１７０は、支持フレーム１６０に対応して、本体１２０に設置され、支持フレーム１６０と係合し、支持フレーム１６０を本体１２０に収める（即ち、支持フレーム１６０を収容溝１２３に収納する）。
【００３７】
詳細には、支持フレーム１６０はリミッター１７０の設置に対応した係合部１６３を有しており、例えば、カードスロットである。リミッター１７０は係合部１６３を貫通し、支持フレーム１６０を収容溝１２３内に固定する。本実施形態において、リミッター１７０の材質は記憶合金であり、且つ、演算制御装置１４０に電気的に接続される。説明が必要なこととして、本発明は係合部の態様を限定しておらず、その他の実施形態において、係合部はフックまたはその他適切な物であってもよい。また、支持フレームとリミッターの構造の態様も実際の応用に応じて調整できるものであり、図が開示するものに限定しない。
【００３８】
図６が示す判断フローと図２が示す判断フローとの間の差異は、ステップＳ２４１において、演算制御装置１４０は、第二信号が第二既定条件に符合すると判断する場合、加速度センサ１３０によってポータブル電子デバイス１００と三次元空間のＺ軸との間の角度Ａｎｇを検知して、第三信号を生成することである。さらに、第三信号は演算制御装置１４０に送信される。ステップＳ２５０において、演算制御装置１４０が、第三信号が既定角度区間（例えば２０度）内にあると判断する場合、ポータブル電子デバイス１００はスイッチ機能または切換機能を実行する。ここで、ポータブル電子デバイス１００がスイッチ機能を実行する時、演算制御装置１４０はリミッター１７０に通電し、リミッター１７０を変形させる。この時、リミッター１７０は温度が高くなることで縮み、係合部１６３を出てきて、支持フレーム１６０と分離する。これにより、支持フレーム１６０は本体１２０に対して展開することができ、可動端１６２によってワークプレーン１０上に当接させ、ポータブル電子デバイス１００を支持フレーム１６０によってワークプレーン１０に立設する。説明が必要なこととして、以上で述べた既定角度区間の数値は実際の応用に応じて調整できるものであり、本発明はこれに限定しない。
【００３９】
以上をまとめると、本発明のポータブル電子デバイスは、演算制御装置と加速度センサが設置され、加速度センサによってポータブル電子デバイスの動作または状態を検知し、演算制御装置は判断メカニズムまたはモードをセットして、加速度センサが検知して得られた信号が既定条件に符合するか判断した後、電源スイッチ、ソフトウェアプログラムスイッチ、機構スイッチまたはその他のスイッチ機能または音量切換、画面切換、ソフトウェアプログラム切換またはその他の切換機能をポータブル電子デバイスにすぐに実行させる。即ち、本発明のポータブル電子デバイス及びその制御方法はユーザーに前述のスイッチ機能または切換機能を速やかに実行させ、且つ、実体キーまたは仮想キーを操作する必要が無く、操作上の利便性の向上に寄与する。
【００４０】
本発明は以上の実施例のように示したが、これに限られるものではなく、当業者が本発明の精神の範囲から逸脱しない範囲において、変更又は修正することが可能であるが故に、本発明の保護範囲は均等の範囲にまで及ぶものとする。
【産業上の利用可能性】
【００４１】
本発明はポータブル電子デバイス及びその制御方法を提供し、ユーザーの操作上の利便性の向上に寄与する。
【符号の説明】
【００４２】
１０：ワークプレーン
１００：ポータブル電子デバイス
１１０：ディスプレイ
１２０：本体
１２１：長辺側
１２２：短辺側
１２３：収容溝
１３０：加速度センサ
１４０：演算制御装置
１５０：トリガー部品
１６０：支持フレーム
１６１：ピボット端
１６２：可動端
１６３：係合部
１７０：リミッター
Ａｎｇ：角度
Ｇ１：第一閾値
Ｇ２：第二閾値
Ｇ３：第三閾値
ＧＬ：下限値
ＧＵ：上限値
Ｓ２１０〜Ｓ２４０、Ｓ２４１、Ｓ２５０：ステップ
Ｔi、Ｔii：時間周期
Ｘ１、Ｙ１、Ｚ、Ｚ１：軸
【図１Ａ】
0006429913.tif 000002
【図１Ｂ】
0006429913.tif 000003
【図２】
0006429913.tif 000004
【図３】
0006429913.tif 000005
【図４】
0006429913.tif 000006
【図５Ａ】
0006429913.tif 000007
【図５Ｂ】
0006429913.tif 000008
【図６】
0006429913.tif 000009